(57)【特許請求の範囲】
【請求項１】
移動体装置と通信する通信手段と、
移動体装置で処理される情報を格納した情報記憶手段と、
広告情報が格納された広告データベースと、
前記情報記憶手段から情報を読み出し通信手段を介して移動体装置に送信し、前記移動体装置に送信した情報量に応じた課金量をユーザ毎に記憶手段に記録する制御手段とを備え、
前記制御手段は、ユーザ毎に広告情報の送信の要／不要の設定を記憶手段に記録し、また、当該広告情報の送信の要／不要に応じて異なる課金単価を設定しておき、前記広告情報の送信が要である場合に前記情報記憶手段から読み出した情報と、前記広告データベースから読み出した広告情報を前記移動体装置に送信し、当該広告情報の要／不要の設定に応じて設定された前記課金単価に前記移動体装置に送信した情報量を乗じた量により、前記記憶手段に記録された課金量をユーザ毎に変動させることを特徴としたセンタ装置。
【請求項２】
前記制御手段は、前記広告情報の送信の要／不要に応じた異なる課金単価として、前記広告情報の送信が要である場合の前記情報量に応じた課金単価を不要の場合よりも安く設定する、ことを特徴とする請求項１に記載のセンタ装置。
【請求項３】
前記広告データベースは、前記広告情報毎に、目的地を特定する情報と動機、又は、ジャンル情報を格納し、
前記制御手段は、移動体装置から、目的地を特定する情報と目的地に向かう動機、又は、広告のジャンルを受信し、受信した目的地を特定する情報と目的地に向かう動機、又は、広告のジャンルに対応する広告情報を前記広告データベースから検索し、前記移動体装置に送信する、
ことを特徴とする請求項１、又は請求項２に記載のセンタ装置。
【請求項４】
前記情報記憶手段は、目的地データ、経路探索用データ、地図データ及び案内データのうちの少なくとも１つを格納し、
前記制御手段は、前記広告情報と共に、前記情報記憶手段の目的地データ、経路探索用データに基づいて探索した経路データ、地図データ及び案内データのうちの少なくとも１つを移動体装置に送信する
ことを特徴とする請求項１、請求項２、又は請求項３に記載のセンタ装置。
【請求項５】
広告主毎の課金データベースを備え、
前記制御手段は、移動体装置に広告情報を送信した場合、その広告主の前記課金データベースに広告代行料を課金する、
ことを特徴とする請求項１から請求項４のうちのいずれか１の請求項に記載のセンタ装置。
【請求項６】
現在位置から目的地までの経路をユーザに案内する移動体装置と、この移動体装置で処理される情報を送信するセンタ装置とを備えたナビゲーションシステムであって、
前記移動体装置は、ユーザが要求を入力する為の入力手段と、現在位置から目的地までの経路案内を実行する経路案内手段と、センタ装置と通信する通信手段と、前記入力手段から広告情報の要／不要の設定を受け付け、この設定を前記通信手段を介してセンタ装置に送信する手段と、を備え、
前記センタ装置は、移動体装置と通信する通信手段と、移動体装置で処理される情報を格納した情報記憶手段と、広告情報が格納された広告データベースと、前記情報記憶手段から情報を読み出し通信手段を介して移動体装置に送信し、前記移動体装置に送信した情報量に応じた課金量をユーザ毎に記憶手段に記録する制御手段とを備え、前記制御手段は、移動体通信から受信した広告情報の送信の要／不要の設定をユーザ毎に記憶手段に記録し、また、当該広告情報の送信の要／不要に応じて異なる課金単価を設定しておき、前記広告情報の送信が要である場合に前記情報記憶手段から読み出した情報と、前記広告データベースから読み出した広告情報を前記移動体装置に送信し、当該広告情報の要／不要の設定に応じて設定された前記課金単価に前記移動体装置に送信した情報量を乗じた量により、前記記憶手段に記録された課金量をユーザ毎に変動させる、
ことを特徴としたナビゲーションシステム。
【請求項７】
前記センタ装置の制御手段は、前記広告情報の送信の要／不要に応じた異なる課金単価として、前記広告情報の送信が要である場合の前記情報量に応じた課金単価を不要の場合よりも安く設定する、ことを特徴とする請求項６に記載のナビゲーションシステム。
【請求項８】
前記センタ装置の前記広告データベースは、前記広告情報毎に、目的地を特定する情報と動機、又は、ジャンル情報を格納し、
前記移動体装置は、入力手段から入力された、目的地を特定する情報と目的地に向かう動機、又は、広告のジャンルをセンタ装置に送信し、
前記センタ装置の前記制御手段は、移動体装置から、目的地を特定する情報と目的地に向かう動機、又は、広告のジャンルを受信し、受信した目的地を特定する情報と目的地に向かう動機、又は、広告のジャンルに対応する広告情報を前記広告データベースから検索し、前記移動体装置に送信する、
ことを特徴とする請求項６、又は請求項７に記載のナビゲーションシステム。
【請求項９】
前記センタ装置の前記情報記憶手段は、目的地データ、経路探索用データ、地図データ及び案内データのうちの少なくとも１つを格納し、
前記センタ装置の前記制御手段は、前記広告情報と共に、前記情報記憶手段の目的地データ、経路探索用データに基づいて探索した経路データ、地図データ及び案内データのうちの少なくとも１つを移動体装置に送信する
ことを特徴とする請求項６、請求項７、又は請求項８に記載のナビゲーションシステム。
【請求項１０】
前記センタ装置は、
広告主毎の課金データベースを備え、
前記制御手段は、移動体装置に広告情報を送信した場合、その広告主の前記課金データベースに広告代行料を課金する、
ことを特徴とする請求項６から請求項９のうちのいずれか１の請求項に記載のナビゲーションシステム。
【発明の詳細な説明】
【０００１】
【発明の属する技術分野】
本発明は、センタ装置及びナビゲーションシステムに関する。
【０００２】
【従来の技術】
図９にカーナビゲーションシステム（車載装置）の従来例を示す。この図９において、制御手段５１には、車両の現在位置を算定する為の現在位置検出手段５２と、ユーザが制御手段に命令を入力する為の入力手段５３と、車両周辺の地図及び進むべき経路を表示する表示手段５４とが接続されている。また、進行先の経路について音声により案内する為の音声出力手段５５と、制御手段５１が処理に使用するメモリ５６と、経路案内に必要な各種のデータを格納したＤＶＤ（Ｄｉｇｉｔａｌ−Ｖｉｄｅｏ−Ｄｉｓｋ）５７とが接続されている。
【０００３】
制御手段５１は、ＣＰＵと、各要素５２〜５７とデータの送受を行うための適切なインタフェース及びバスを含んでいる。
【０００４】
現在位置検出手段５２は、ＧＰＳ（Ｇｌｏｂａｌ−Ｐｏｓｉｔｉｏｎｉｎｇ−Ｓｙｓｔｅｍ）の受信機や、自立航法の為の車速センサ及び方位センサ等を含んでいる。
【０００５】
入力手段５３は、例えば、制御手段５１と赤外線通信によりデータの送受を行う操作リモコンであり、一般には、データ選択の為のジョグダイヤルやジョイスティック、及び、選択決定の為のボタンとを備えている。
【０００６】
表示手段５４は、カラー液晶ディスプレイや、ヘッドアップディスプレイである。
【０００７】
音声出力手段５５は、一般にスピーカである。
【０００８】
メモリ５６には、ＲＡＭやＲＯＭの他、本体に着脱可能なメモリカード等も含まれ、一般に、制御手段５１のオペレーティングシステム、タスクプログラムや各種のデータが格納される。
【０００９】
ＤＶＤ５７には、一般に、地図の表示に必要な地図データ、経路探索に必要な経路探索用データ、交差点の形状や車線変更の案内表示を行うための案内データ、ユーザに目的地を選択させるための目的地データ等が格納されている。
【００１０】
制御手段５１は、入力手段５３から目的地の設定を受け付けると共に、現在位置検出手段５２の出力やマップマッチング処理の結果に基づいて車両の現在位置を特定する。そして、車両の現在位置から目的地までの適切な経路を探索し、地図と共に進行すべき経路をユーザに表示する。この処理の過程で、ＤＶＤに格納された各種のデータが用いられる。
【００１１】
データを格納したＤＶＤは、一定の価格を付して販売されているものであり、メーカーは、このＤＶＤの販売を資本回収の一態様としている。
【００１２】
【発明が解決しようとする課題】
一方、現在急速にネットワークシステムの普及が進んでおり、出願人は、ナビゲーションシステムもネットワーク化の方向を提案している。従来のシステムでは、各ユーザが個々にＤＶＤ等のデータ記録媒体を購入しているが、車載装置をネットワークを介してセンタ装置に接続すれば、ＤＶＤ等の記録媒体によって配布されているデータをセンタ装置に一元化することができ、センタ装置から各ユーザの車載装置に必要なデータを送信することで、従来のナビゲーションシステムと同等の機能ないし従来以上の新機能を提供することが可能となる。
【００１３】
しかしながら、今までＤＶＤ等の媒体や新機能を搭載した車載装置の販売により資本の回収を行っていた業者は、別の資本回収の道を探さなければならない。そこで、センタ装置から車載装置に送信する情報に金銭的価値を持たせる考え方が浮上する。一方、ユーザとしては、希望しない情報をセンタから送信され、その情報について金銭を請求されたのでは納得できない。
【００１４】
【発明の目的】
本発明は、ネットワークシステムを前提としたナビゲーションシステムにおいて、ユーザの利益を調整することを目的とする。
【００１５】
【課題を解決するための手段】
請求項１記載の発明では、移動体装置と通信する通信手段と、移動体装置で処理される情報を格納した情報記憶手段と、広告情報が格納された広告データベースと、前記情報記憶手段から情報を読み出し通信手段を介して移動体装置に送信し、前記移動体装置に送信した情報量に応じた課金量をユーザ毎に記憶手段に記録する制御手段とを備え、前記制御手段は、ユーザ毎に広告情報の送信の要／不要の設定を記憶手段に記録し、また、当該広告情報の送信の要／不要に応じて異なる課金単価を設定しておき、前記広告情報の送信が要である場合に前記情報記憶手段から読み出した情報と、前記広告データベースから読み出した広告情報を前記移動体装置に送信し、当該広告情報の要／不要の設定に応じて設定された前記課金単価に前記移動体装置に送信した情報量を乗じた量により、前記記憶手段に記録された課金量をユーザ毎に変動させることを特徴としたセンタ装置を提供する。
【００１６】
請求項２記載の発明では、前記制御手段は、前記広告情報の送信の要／不要に応じた異なる課金単価として、前記広告情報の送信が要である場合の前記情報量に応じた課金単価を不要の場合よりも安く設定する、ことを特徴とする請求項１に記載のセンタ装置を提供する。
【００１７】
請求項３記載の発明では、前記広告データベースは、前記広告情報毎に、目的地を特定する情報と動機、又は、ジャンル情報を格納し、前記制御手段は、移動体装置から、目的地を特定する情報と目的地に向かう動機、又は、広告のジャンルを受信し、受信した目的地を特定する情報と目的地に向かう動機、又は、広告のジャンルに対応する広告情報を前記広告データベースから検索し、前記移動体装置に送信する、ことを特徴とする請求項１、又は請求項２に記載のセンタ装置を提供する。
【００１８】
請求項４記載の発明では、前記情報記憶手段は、目的地データ、経路探索用データ、地図データ及び案内データのうちの少なくとも１つを格納し、前記制御手段は、前記広告情報と共に、前記情報記憶手段の目的地データ、経路探索用データに基づいて探索した経路データ、地図データ及び案内データのうちの少なくとも１つを移動体装置に送信することを特徴とする請求項１、請求項２、又は請求項３に記載のセンタ装置を提供する。
【００１９】
請求項５記載の発明では、広告主毎の課金データベースを備え、前記制御手段は、移動体装置に広告情報を送信した場合、その広告主の前記課金データベースに広告代行料を課金する、ことを特徴とする請求項１から請求項４のうちのいずれか１の請求項に記載のセンタ装置を提供する。
【００２０】
請求項６記載の発明では、現在位置から目的地までの経路をユーザに案内する移動体装置と、この移動体装置で処理される情報を送信するセンタ装置とを備えたナビゲーションシステムであって、前記移動体装置は、ユーザが要求を入力する為の入力手段と、現在位置から目的地までの経路案内を実行する経路案内手段と、センタ装置と通信する通信手段と、前記入力手段から広告情報の要／不要の設定を受け付け、この設定を前記通信手段を介してセンタ装置に送信する手段と、を備え、前記センタ装置は、移動体装置と通信する通信手段と、移動体装置で処理される情報を格納した情報記憶手段と、広告情報が格納された広告データベースと、前記情報記憶手段から情報を読み出し通信手段を介して移動体装置に送信し、前記移動体装置に送信した情報量に応じた課金量をユーザ毎に記憶手段に記録する制御手段とを備え、前記制御手段は、移動体通信から受信した広告情報の送信の要／不要の設定をユーザ毎に記憶手段に記録し、また、当該広告情報の送信の要／不要に応じて異なる課金単価を設定しておき、前記広告情報の送信が要である場合に前記情報記憶手段から読み出した情報と、前記広告データベースから読み出した広告情報を前記移動体装置に送信し、当該広告情報の要／不要の設定に応じて設定された前記課金単価に前記移動体装置に送信した情報量を乗じた量により、前記記憶手段に記録された課金量をユーザ毎に変動させる、ことを特徴としたナビゲーションシステムを提供する。
【００２１】
請求項７記載の発明では、前記センタ装置の制御手段は、前記広告情報の送信の要／不要に応じた異なる課金単価として、前記広告情報の送信が要である場合の前記情報量に応じた課金単価を不要の場合よりも安く設定する、ことを特徴とする請求項６に記載のナビゲーションシステムを提供する。
【００２２】
請求項８記載の発明では、前記センタ装置の前記広告データベースは、前記広告情報毎に、目的地を特定する情報と動機、又は、ジャンル情報を格納し、前記移動体装置は、入力手段から入力された、目的地を特定する情報と目的地に向かう動機、又は、広告のジャンルをセンタ装置に送信し、前記センタ装置の前記制御手段は、移動体装置から、目的地を特定する情報と目的地に向かう動機、又は、広告のジャンルを受信し、受信した目的地を特定する情報と目的地に向かう動機、又は、広告のジャンルに対応する広告情報を前記広告データベースから検索し、前記移動体装置に送信する、ことを特徴とする請求項６、又は請求項７に記載のナビゲーションシステムを提供する。
【００２３】
請求項９記載の発明では、前記センタ装置の前記情報記憶手段は、目的地データ、経路探索用データ、地図データ及び案内データのうちの少なくとも１つを格納し、前記センタ装置の前記制御手段は、前記広告情報と共に、前記情報記憶手段の目的地データ、経路探索用データに基づいて探索した経路データ、地図データ及び案内データのうちの少なくとも１つを移動体装置に送信することを特徴とする請求項６、請求項７、又は請求項８に記載のナビゲーションシステムを提供する。
【００２４】
請求項１０記載の発明では、前記センタ装置は、広告主毎の課金データベースを備え、前記制御手段は、移動体装置に広告情報を送信した場合、その広告主の前記課金データベースに広告代行料を課金する、ことを特徴とする請求項６から請求項９のうちのいずれか１の請求項に記載のナビゲーションシステムを提供する。
【００３２】
【発明の実施の形態】
以下、本発明の一実施形態を図１乃至図７に基づいて説明する。
【００３３】
図１において、車載装置等の移動体装置１０と、センタ装置２０は、パケット網３０を介して接続されている。また、センタ装置２０は、インターネット等のネットワークを介して広告主端末４１からのアクセスを受け付ける。
【００３４】
移動体装置１０において、制御手段１１には、車両の現在位置を算定する為の現在位置検出手段１２と、ユーザが制御手段に命令を入力する為の入力手段１３と、車両周辺の地図及び進むべき経路を表示する表示手段１４とが接続されている。また、進行先の経路について音声により案内する為の音声出力手段１５と、制御手段１１が処理に使用するメモリ１６（記憶手段）とが接続されている。
【００３５】
ここで、各要素１１〜１６の詳細は、従来例で説明した要素５１〜５６の詳細と同一である。また、符号１７は、パケット網３０に接続可能な通信手段であり、パケット形態端末やＰＡＤ（Ｐａｃｋｅｔ−Ａｓｓｅｍｂｌｙ−ａｎｄ−Ｄｉｓａｓｓｅｍｂｌｙ）が該当する。
【００３６】
一方、センタ装置２０において、制御手段２１には、当該制御手段２１が処理に用いるメモリ２３（記憶手段）と、パケット網３０に接続して移動体装置１０とパケット交換を行う通信手段２２とが接続されている。通信手段２２は、ネットワーク４０を介し、広告主端末４１からアクセスを受け付ける機能も有する。また、制御手段２１には、地図の表示に必要な地図データを格納した地図データベース（以下、ＤＢと略述する）２４と、経路探索に必要な経路探索用データを格納した経路探索用ＤＢ２５と、交差点の形状や車線変更の案内表示を行うための案内データを格納した案内用ＤＢ２６と、ユーザに目的地を選択させるための目的地データを格納した目的地ＤＢ２７とが接続されている。更に、制御手段２１には、広告情報を格納した広告ＤＢ２８と、ユーザ毎の課金状況を格納した課金ＤＢ２９とが接続されている。
【００３７】
制御手段２１は、ＣＰＵと、各要素２２〜２９とデータの送受を行うための適切なインタフェース及びバスとを含んでいる。
【００３８】
通信手段２２は、例えば、制御手段２１に接続されたネットワークコントローラと、パケット網３０接続用のゲートウェイと、ネットワーク４０接続用のゲートウェイと、これらを相互に接続するＬＡＮ（Ｌｏｃａｌ−Ａｒｅａ−Ｎｅｔｗｏｒｋ）とを含んでいる。
【００３９】
メモリ２３には、ＲＡＭ及びＲＯＭが含まれている。
【００４０】
地図ＤＢ２４には、移動体装置１０において地図を表示するための地図データが領域毎に納められている。
【００４１】
案内ＤＢ２６には、予め設定された路上のポイント毎に、車線変更や交差点の右折左折の案内等をユーザに表示する画像データと、その案内を音声で知らせるための音声データとが格納されている。
【００４２】
目的地ＤＢ２７には、目的地候補の名称、住所、電話番号、緯度経度等が当該目的地候補毎に格納されている。
【００４３】
広告ＤＢ２８は、広告の属性データと、広告の内容（情報）データとを含んでいる。
【００４４】
図２（ａ）は、広告の属性データである。広告毎に、広告ＩＤと、対応する目的地と、対応する動機と、対応するジャンルと、対応するサブジャンルとを格納してある。広告ＩＤは、例えば００１，００２，・・・等の重複しない連続番号である。目的地は、〇○球場や、××遊園地等の具体的な目的地である。動機は、「泊まる」、「遊ぶ」、「見る」等の目的地で行いたいことである。ジャンルは、スキー、ゴルフ、飲食等の広告のジャンルである。サブジャンルは、ジャンルを更に細分化した属性であり、例えば、ジャンル「飲食」に対し、サブジャンル「喫茶」「麺」「中華」「寿司」等が該当する。
【００４５】
図２（ｂ）は、広告の情報データである。広告毎に、広告ＩＤと、対応する広告情報（広告の内容）とを格納してある。広告ＩＤは、図２（ａ）の属性データの広告ＩＤとリンクされている。広告情報は、「日替りランチ：エビフライ  ７００円」等の具体的な広告情報である。ここで、広告の属性データ及び広告の情報データは、ネットワーク４０を介して広告主端末４１から蓄積できるようになっている。
【００４６】
課金ＤＢ２９は、ユーザ別課金状況データと、パケット単価データとを含んでいる。図３（ａ）は、ユーザ別課金状況データである。ユーザ毎（ユーザＩＤ毎）に、所定期間内の課金量と、広告の要／不要の設定データとを格納してある。図３（ｂ）は、パケット単価データである。広告の要／不要に応じて異なる単価が設定されている。本実施形態において、ユーザが広告を必要とする場合のパケット単価は、広告を必要としない場合のパケット単価よりも安く設定されている。
【００４７】
本実施形態において、各ＤＢ２４〜２９は、ハードディスク等の記憶手段に格納されている。
【００４８】
次に、本システムの動作を図４乃至図７に基づいて説明する。移動体装置１０とセンタ装置２０の実行する各種の処理は、各制御手段１１，２１のＣＰＵが各種のプログラムを実行することにより実現される。プログラムは、実行時に、コンピュータ読み取り可能な記録媒体から読み出され、メモリに蓄積される。これにより、当該メモリもプログラムを記録したコンピュータ読み取り可能な媒体となる。移動体装置１０のメモリに蓄積されるプログラムは、センタ装置２０からダウンロードされたものでもよい。
【００４９】
図４は、広告設定処理のフローチャートである。移動体装置１０において、制御手段１１は、ユーザから広告の要／不要の設定を受け付ける（Ｓ１）。設定の受付は、例えば、ユーザによる入力手段１３の操作に応じて表示手段１４に広告要／不要の選択メニューを表示し、ユーザに選択させることによって、行ってもよい。次に、制御手段１１は、表示手段１４に設定の確認の表示を行い、ユーザからの確認の入力を受け付ける（Ｓ２）。この結果、設定ミスであれば、再度Ｓ１の設定に戻る。一方、設定が正しければ、広告要／不要の設定内容を予め設定されているユーザＩＤと共に通信手段１７からセンタ装置に送信する（Ｓ３）。ユーザＩＤは、メモリ１６に予め格納されている。次に、センタ装置２０において、広告要／不要の設定内容及び送信元のユーザＩＤを受信した制御手段２１は、課金ＤＢ２９に接続し、該当するユーザの広告要／不要データを更新する（Ｓ４，Ｓ５）。
【００５０】
続いて、図５は経路要求処理のフローチャートである。移動体装置１０において、制御手段１１は、ユーザから目的地に関する情報の入力を受け付ける（Ｓ１１）。目的地に関する情報には、その目的地の住所や電話番号が含まれる。住所は、例えば、県名、市区名等をメニューから選んで入力させ、番地を入力手段１２のテンキーから入力させる。電話番号は、例えば、入力手段１２のテンキーから入力させる。続いて、制御手段１１は、ユーザから目的地に向かう動機（目的地で行いたいこと）の入力を受け付ける（Ｓ１２）。動機は、例えば、メニューから選択させることにより入力させる。続いて、制御手段１１は、現在位置検出手段１２の出力に基づいて移動体の現在位置を算定し（Ｓ１３）、以上の目的地に関する情報、動機、現在位置の情報をユーザＩＤと共にセンタ装置２０に送信する（Ｓ１４）。
【００５１】
次に、センタ装置において、これらの情報を受信した制御手段２１は（Ｓ１５）、移動体の現在位置から目的地までの経路探索処理（Ｓ１６）と、広告の検索処理（Ｓ１７）とを実行する。
【００５２】
経路探索処理は、次のように実行される。制御手段２１は、移動体装置１０から送られた目的地に関する情報（電話番号又は住所）を検索キーとして、目的地ＤＢ２７を検索し、目的地の位置情報を取得する。この目的地の位置情報と、移動体装置１０から受信した移動体の現在位置の情報と、経路探索用ＤＢ２５のデータとに基づいて経路探索を実行する。ここで、センタ装置２０は、事故情報、渋滞情報等のリアルタイム情報を外部から取得するようになっている。リアルタイム情報の取得は、例えば、ネットワーク４０を介して行われる。経路探索にあたっては、このリアルタイム情報も考慮して最適な経路が探索されるようになっている。
【００５３】
また、広告検索処理は、次のように実行される。まず、制御手段２１は、経路探索を要求したユーザが広告の送信を希望しているか否かを、課金ＤＢ２９の広告要／不要設定を参照することにより確認する。この結果、広告を希望していなければ、処理を終了する。一方、広告を希望している場合、次の処理を実行する。即ち、まず移動体装置１０から送られた目的地に関する情報（電話番号又は住所）を検索キーとして、目的地ＤＢ２７を検索し、例えば、目的地の名称を取得する。次に、この目的地の名称と、移動体装置１０から受信した動機の情報とを検索キーとして広告データベースから該当する広告情報を検索する。例えば、図２において、目的地「××遊園地」、動機「食べる」が指定された場合は、広告情報として××遊園地構内又はその周辺の飲食店の広告「〇〇レストラン／トマトのスパゲティー・セット／８００円」が検索される。ここで、広告情報は画像データや映像データを伴ってもよい。
【００５４】
次に、制御手段２１は、移動体の現在位置情報に基づいて、現在位置の周辺領域の地図データを地図ＤＢ２４から検索し、また、先程の経路探索の結果に基づいて移動体の現在位置周辺の領域における経路案内に必要な案内データを案内ＤＢ２６から検索し、また、今回指定された目的地の目的地データを目的地ＤＢ２７から検索する（Ｓ１８）。そして、Ｓ１７，Ｓ１８で検索された広告情報及び地図データ等と、Ｓ１６で探索した経路のデータのうち移動体の現在位置から一定領域内にある部分とを、まとめて移動体装置１０に送信する（Ｓ１９）。
【００５５】
この送信を受けた移動体装置１０の制御手段１１は（図６のＳ２１）、受信データをメモリ１６に格納すると共に、受信した広告情報を表示手段１４に表示する（Ｓ２３）。また、送られた地図データ、案内データ、経路データ等に基づいて現在位置から一定領域内の経路案内処理を実行する（Ｓ２２）。そして、移動体が経路を進行し、最初に受信した一定領域の経路の終点にさしかかると、制御手段１１は、センタ装置２０に対し、次に続く経路の送信を要求する（Ｓ２４）。この要求に際し、移動体装置１１は、現在位置検出手段１２の出力に基づいて算定した移動体の現在位置と、先程メモリ１６に受信した目的地データ（目的地の位置情報）とをセンタ装置１０に送信する。
【００５６】
この要求を受けたセンタ装置２０の制御手段２１は、受信した目的地及び現在位置の情報と、この時点での更新されたリアルタイム情報と、経路探索用ＤＢ２５の情報とに基づいて、現在位置から目的地までの経路探索を実行する（Ｓ２５）。更に、図５のＳ１８と同様に、移動体の現在位置から一定領域内の地図データ及び案内データをＤＢから読み出し（Ｓ２６）、現在位置から一定領域内の経路データと共に移動体装置１０に送信する（Ｓ２７）。以降、Ｓ２１からの処理が繰り返される。２回目以降の経路探索要求（Ｓ２４）に対し、センタ装置２０の制御手段２１は、Ｓ１７と同様に新たな広告情報の検索を行い、Ｓ２７で上記の経路データ、地図データ、案内データと一緒に移動体装置１０に送信してもよい。
【００５７】
次に、図７は、センタ装置２０の制御手段２１が実行するパケット送信処理のフローチャートである。制御手段２１は、移動体装置１０にパケットを送信するごとに、送信先のユーザに対し、パケットの送信量に応じた課金処理を行う（Ｓ３１，Ｓ３２）。課金処理は次のように行われる。制御手段２１は、パケットを送信したユーザのＩＤをキーとして課金ＤＢを検索し、該当ユーザのレコードの広告要／不要設定を確認する。そして、この設定に対応した課金単価に送信パケット数を乗じた量を、そのユーザレコードの課金量フィールドの値に積算する。課金量は一定期間毎に清算され、リセットされる。また、ユーザに対し広告情報を送信した場合、図示しない広告主毎の課金ＤＢに広告代行料を課金する。
【００５８】
ここで、以上説明した移動体装置及びセンタ装置の各種の処理は、マルチタスクで処理されるようになっている。
【００５９】
次に、他の実施形態を図８に基づいて説明する。システムの構成は図１と同一である。ユーザによる広告の選択は、ジャンル指定によって行われてもよい。この場合、移動体装置１０の制御手段１１は、入力手段１３から広告のジャンル指定と、サブジャンルの指定を受け付け、この指定をセンタ装置２０に送信する（Ｓ４１、Ｓ４２，Ｓ４３）。ジャンル、サブジャンルの入力は、ジャンル及びサブジャンルの一覧をセンタ装置２０からメモリ１６にダウンロードしておき、表示手段１４でユーザにジャンル及びサブジャンルのメニューを選択させることによって、行わせることが考えられる。ここで、サブジャンルの指定は任意としてもよい。
【００６０】
ジャンル及びサブジャンルの指定を受信したセンタ装置２０の制御手段２１は、当該ジャンル及びサブジャンルを検索キーとして広告ＤＢ２８を検索する（Ｓ４４，Ｓ４５）。例えば、図２において、ジャンル「コンサート」、サブジャンル「ポップス」が指定された場合、広告情報の一つとして××遊園地の「１１／１１日／１８：００〜／ＡＡＡコンサート」も検索される。本検索においては、ジャンル及びサブジャンルが一致する複数の広告情報が検索される可能性がある。制御手段２１は、検索された広告情報を単独で又は先の実施形態と同様に地図データ、案内データ、経路データ等の他のデータと共に、移動体装置１０に送信する（Ｓ４５）。
【００６１】
移動体装置１０の制御手段１１は、送られた広告情報をメモリ１６に受信し、表示手段１４に表示する。表示の方法は、画像であれば一定時間毎に広告を切り替えるスライドショー形式でもよいし、文字広告であればスクロール表示でもよい。また、広告の一覧を表示手段１４に表示し、ユーザに選択させてもよい。
【００６２】
以上説明した実施形態によれば、ユーザに対する送信情報量に応じて課金を行うので、従来ＤＶＤ等の媒体や車載装置の売り上げとして回収していた資本を、センタ装置から配信する情報の情報料という形で回収することが可能となる。一方、移動体装置のユーザは、センタ装置から受け取る広告情報を目的地及び動機又はジャンルに応じて必要な広告だけに絞ることが出来るので、不要な広告を受信して、その分の情報量まで課金されてしまう不都合を回避することが出来る。また、広告の表示が目障りな場合は、広告要／不要の設定により、センタ装置からの広告情報の送信を拒否することもできる。この場合、センタ装置の運用業者は、広告主からの広告収入が減少する場合も考えられる、そこで、ユーザによる広告要／不要の設定に応じてユーザ毎に課金単価を変動させることで、広告収入の減少分を補うことも可能である。
【００６３】
これに加え、経路データ、地図データ、案内データ等は、移動体の現在位置から一定領域内に限って移動体装置に送信するようになっている。もし、現在位置から目的地までのすべての経路データや、これに付随する全行程の地図データ及び案内データ等を移動体装置に送った場合、移動体が途中で経路を外れると、それまでに送信された地図データや案内データ等が無駄になり、ユーザは無駄な情報料を支払ったことになる。しかし、本実施形態のように、一定領域に限ってデータを送信し、必要になる都度次のデータを送信するようにしておけば、途中で経路を外れてもデータの無駄を最小限に抑えることができ、ユーザにとってメリットが高い。
【００６４】
更に、広告データを送信する際に、他の地図データ、案内データ、経路データ、目的地データ等のうち必要なものを一緒に移動体装置１０に送信することにより、パケットのデータ収容スペースにデッドスペースが出来る確率を少なくすることができ、パケット単価に対する情報量の割合を高めることができ、ユーザにとってメリットが高い。
【００６５】
このように、本実施形態によれば、情報提供業者の利益とユーザの利益との調整を図ることが可能である。
【００６６】
ここで、本発明は、上記実施形態に限られない。例えば、センタ装置のＤＢの一部を移動体装置側で持っていてもよい。センタ装置から広告情報を送信する際に、広告情報と一緒に送信するデータの種類は任意である。また、広告情報のみを送信してもよい。センタ装置から移動体装置への経路の送信は、現在位置から目的地までの全部の経路を一括して送信してもよい。目的地ＤＢを移動体装置に備え、移動体装置でユーザに目的地の名称及び動機を選択させ、選択された目的地の位置情報及び動機をセンタ装置に送信し、センタ装置側で経路探索及び広告検索を行わせてもよい。課金量は、広告を必要とする場合に、不要とする場合より多くしてもよい。例えば、目的地や動機により選択された広告情報を付加価値の高い情報と考える場合である。
【００６７】
【発明の効果】
本発明は、広告情報の要／不要の設定に応じて情報量に応じた課金量をユーザ毎に変動させるので、ユーザの利益を調整することができる。
【図面の簡単な説明】
【図１】本発明の一実施形態を示すシステム構成図である。
【図２】図１に示す広告ＤＢの構成図である。
【図３】図１に示す課金ＤＢの構成図である。
【図４】広告設定処理のフローチャートである。
【図５】経路要求処理のフローチャート（前段）である。
【図６】経路要求処理のフローチャート（後段）である。
【図７】パケット送信処理のフローチャートである。
【図８】広告選択処理のフローチャーである。
【図９】従来例の構成を示すブロック図である。
【符号の説明】
１０  移動体装置
１１  制御手段
１２  現在位置検出手段
１３  入力手段
１４  表示手段
１５  音声出力手段
１６  メモリ
２０  センタ装置
２１  制御手段
２２  通信手段
２３  メモリ
２４  地図データベース
２５  経路探索用データベース
２６  案内用データベース
２７  目的地データベース
２８  広告データベース
２９  課金データベース
３０  パケット網
４０  ネットワーク
４１  広告主
【図１】
0004491881.tif 000002
【図２】
0004491881.tif 000003
【図３】
0004491881.tif 000004
【図４】
0004491881.tif 000005
【図５】
0004491881.tif 000006
【図６】
0004491881.tif 000007
【図７】
0004491881.tif 000008
【図８】
0004491881.tif 000009
【図９】
0004491881.tif 000010